【手続補正書】
【提出日】平成26年1月20日(2014.1.20)
【手続補正１】
【補正対象書類名】特許請求の範囲
【補正対象項目名】全文
【補正方法】変更
【補正の内容】
【特許請求の範囲】
【請求項１】
生体試料を含む観察領域のマクロ画像を取得するマクロ画像取得部と、
前記生体試料のミクロ画像を取得するミクロ画像取得部と、
前記生体試料の識別情報を記憶する識別情報記憶部と、
前記マクロ画像取得部により取得された前記マクロ画像を画像処理して該マクロ画像に含まれる前記生体試料の識別情報を抽出し、抽出された識別情報と前記識別情報記憶部に記憶されている前記識別情報とが対応する前記生体試料を特定する生体試料特定部と、
該生体試料特定部により特定された生体試料が前記ミクロ画像の視野範囲に含まれるように、前記ミクロ画像の視野範囲と前記生体試料との相対位置を調整する調整部とを備える生体観察装置。
【請求項２】
前記生体試料を載置するステージと、
光源から発せられた照射光を走査するスキャナと、
前記スキャナの揺動角度範囲を制御する制御部とを備え、
前記マクロ画像取得部が、前記スキャナによる前記観察領域上の照射光の走査範囲からの観察光を検出して前記マクロ画像を取得し、
前記ミクロ画像取得部が、前記スキャナによる前記生体試料上の照射光の走査範囲からの観察光を検出して前記ミクロ画像を取得し、
前記制御部が、前記マクロ画像の取得時より前記ミクロ画像の取得時の照射光の走査の振幅が小さくなるように前記スキャナの揺動角度範囲を制御する請求項１に記載の生体観察装置。
【請求項３】
前記マクロ画像取得部が、前記生体試料の３次元的なマクロ画像を取得する請求項２に記載の生体観察装置。
【請求項４】
前記生体試料を載置するステージと、
光源から発せられた照射光を走査するスキャナと、
前記スキャナの揺動角度範囲を制御する制御部とを備え、
前記マクロ画像取得部が、光源から発せられた照射光の前記観察領域上の照射範囲からの観察光を撮影して前記マクロ画像を取得し、
前記ミクロ画像取得部が、前記スキャナによる前記生体試料上の照射光の走査範囲からの観察光を検出して前記ミクロ画像を取得し、
前記制御部が、前記マクロ画像の視野範囲より前記ミクロ画像の視野範囲を狭くするように前記スキャナの揺動角度範囲を制御する請求項１に記載の生体観察装置。
【請求項５】
前記調整部が、前記生体試料特定部により特定された前記生体試料が前記ミクロ画像の視野範囲に含まれるように、前記スキャナの揺動範囲の位置を調整する請求項２または請求項４に記載の生体観察装置。
【請求項６】
前記スキャナにより走査された前記照射光を前記生体試料に照射する対物レンズを備え、
前記調整部が、前記生体試料特定部により特定された前記生体試料が前記ミクロ画像の視野範囲に含まれるように、前記対物レンズと前記ステージとの光軸に交差する方向の相対位置を調整する請求項２または請求項４に記載の生体観察装置。
【請求項７】
前記生体試料を載置するステージと、
前記生体試料および該生体試料を含む観察領域からの観察光を集光する複数の倍率が異なる対物レンズと、
該対物レンズを保持し、照射光の光路上にいずれかの前記対物レンズを切り替え可能に配置するレボルバとを備え、
前記マクロ画像取得部が、低倍率の前記対物レンズにより集光された前記観察領域からの観察光を撮影することにより前記観察領域のマクロ画像を取得し、
前記ミクロ画像取得部が、高倍率の前記対物レンズにより集光された前記生体試料からの観察光を撮影することにより前記生体試料のミクロ画像を取得し、
前記調整部が、前記生体試料特定部により特定された前記生体試料が前記ミクロ画像の視野範囲に含まれるように、前記対物レンズと前記ステージとの光軸に交差する方向の相対位置を調整する請求項１に記載の生体観察装置。
【請求項８】
前記生体試料特定部が、前記ミクロ画像を取得する前記対物レンズの倍率情報を用いて、前記マクロ画像に含まれる前記生体試料の識別情報を抽出する請求項７に記載の生体観察装置。
【請求項９】
前記生体試料を載置するステージと、前記生体試料からの観察光を集光する対物レンズとを備え、
前記調整部が、前記生体試料特定部により特定された生体試料が前記ミクロ画像の視野範囲に含まれるように、前記対物レンズと前記ステージとの光軸に交差する方向の相対位置を調整する請求項１に記載の生体観察装置。
【請求項１０】
前記マクロ画像取得部が、前記観察領域が隣接する複数の前記マクロ画像を取得し、隣接する該マクロ画像どうしを張り合わせる請求項１に記載の生体観察装置。
【請求項１１】
前記マクロ画像取得部が、光源から発せられた照明光の照射による前記前記観察領域からの透過光または戻り光に基づいて前記観察領域のマクロ画像を取得し、
前記ミクロ画像取得部が、光源から発せられた照明光により励起された蛍光に基づいて前記生体試料のミクロ画像を取得する請求項１から請求項１０のいずれかに記載の生体観察装置。
【請求項１２】
生体試料を含む観察領域に照明光を照射するマクロ画像用光源と、
該マクロ画像用光源から発せられる前記照明光の照射による前記観察領域からの透過光または戻り光を撮影し前記観察領域のマクロ画像を取得するマクロ画像取得部と、
前記生体試料に励起光を照射するミクロ画像用光源と、
該ミクロ画像用光源から発せられる前記励起光の前記生体試料の照射位置において発生する蛍光を検出し前記生体試料のミクロ画像を取得するミクロ画像取得部と、
前記生体試料の識別情報を記憶する識別情報記憶部と、
前記マクロ画像を画像処理して該マクロ画像に含まれる前記生体試料の識別情報を抽出し、抽出された識別情報と前記識別情報記憶部に記憶されている識別情報とが対応する生体試料を特定する生体試料特定部と、
前記ミクロ画像の視野範囲に前記生体試料特定部により特定された生体試料が含まれるように、前記ミクロ画像取得部の撮影範囲を移動させる移動手段と、
を備える生体観察装置。
【請求項１３】
前記ミクロ画像取得部が、前記ミクロ画像用光源から発せられた前記励起光を走査させるスキャナと、前記生体試料において発生する前記蛍光を検出する検出部と、該検出部により検出された蛍光に基づいて前記ミクロ画像を構築する画像構築部とを備え、
前記移動手段が、前記スキャナの揺動角度範囲を調整する請求項１２に記載の生体観察装置。
【請求項１４】
前記ミクロ画像用光源から発せられた前記励起光を前記生体試料に照射する一方、前記励起光の照射位置において発生した前記蛍光を集光する対物レンズと、前記生体試料が載置され、前記対物レンズの光軸に交差する方向に移動可能なステージとを備え、
前記移動手段が、前記対物レンズと前記ステージとを前記光軸に交差する方向に相対的に移動させる請求項１２または請求項１３に記載の生体観察装置。
【請求項１５】
前記生体試料特定部が、前記マクロ画像から抽出される前記生体試料の識別情報が変化した場合に、前記識別情報記憶部に記憶されている前記生体試料の識別情報を書き換える請求項１２から請求項１４のいずれかに記載の生体観察装置。
【請求項１６】
前記生体試料特定部が、前記生体試料が細胞分裂した場合に、細胞分裂により生じた新たな生体試料の識別情報を前記識別情報記憶部に記憶させるとともに、同一の生体試料から細胞分裂した新たな前記生体試料にそれぞれ相互に関連する識別子を付与する請求項１２から請求項１５のいずれかに記載の生体観察装置。
【請求項１７】
倍率の異なる前記対物レンズが交換可能に備えられ、
前記生体試料特定部が、前記対物レンズの倍率情報を用いて前記生体試料の識別情報を抽出する請求項１２から請求項１６のいずれかに記載の生体観察装置。